(57)【要約】【課題】合成画像の撮影時において、容易な構成で合成画像に応じた適正な撮影動作を可能とする画像処理装置を提供する。【解決手段】撮影画像と合成用画像を合成させる合成画像の撮影時には、測光手段の測光エリア若しくは測距手段の測距エリアを限定する。【選択図】  図１
2005175951.tif 000002
【特許請求の範囲】
【請求項１】
被写体像を光電変換して撮像画像を出力する撮像手段と、前記撮像手段からの撮影画像及び合成用画像を記憶する記憶手段と、少なくとも前記撮像手段からの撮像画像と合成用画像とを合成する画像合成手段と、複数の測距エリアにおいて測距を行う測距手段と、前記測距エリアの選択手段とを備える画像処理装置において、
撮影画像と合成用画像を合成させる合成画像の撮影時には、前記測距手段の測距エリアを限定することを特徴する画像処理装置。
【請求項２】
前記測距エリアの限定は、画像合成される合成用画像と重複していない測距エリアとすることを特徴とする請求項１記載の画像処理装置。
【請求項３】
前記測距エリアの選択手段により選択可能とされる測距エリアは、画像合成を行う合成用画像によって変更することを特徴とする請求項１記載の画像処理装置。
【請求項４】
被写体像を光電変換して撮像画像を出力する撮像手段と、該撮像手段からの撮影画像及び合成用画像を記憶する記憶手段と、少なくとも前記撮像手段からの撮像画像と合成用の画像を合成する画像合成手段と、複数の測光エリアにおいて測光を行う測光手段と、該測光エリアの選択手段とを備える画像処理装置において、
撮影画像と合成用画像を合成させる合成画像の撮影時には、前記測光手段の測光エリアを限定することを特徴する画像処理装置。
【請求項５】
前記測光エリアの限定は、画像合成される合成用画像と重複していない測光エリアとすることを特徴とする請求項４記載の画像処理装置。
【請求項６】
前記測光エリアの選択手段により選択可能とされる測光エリアは、画像合成を行う合成用画像によって変更することを特徴とする請求項４記載の画像処理装置。
【請求項７】
被写体像を光電変換して撮像画像を出力する撮像手段と、該撮像手段からの撮影画像及び合成用画像を記憶する記憶手段と、少なくとも前記撮像手段からの撮像画像と合成用の画像を合成する画像合成手段と、ホワイトバランス補正手段とを備える画像処理装置において、撮影画像と合成用画像を合成させる合成画像の撮影時には、画像合成される合成用画像と重複していない画像領域よりホワイトバランス補正用の情報を所得することを特徴とする画像処理装置。
【発明の詳細な説明】
【技術分野】
【０００１】
本発明は、静止画像や動画像を撮像、記録、再生する画像処理装置及び画像処理装置制御方法に係り、特に撮影中の画像と他画像とを重ね合わせて合成画像を作成する合成画像撮影時における測距・測光動作の制御方法に関する。
【背景技術】
【０００２】
従来より、撮像素子を内蔵し撮影画像を表示・記録するデジタルカメラ等において、撮影画像とテンプレート（フレーム、イラスト、文字等）等の他画像を重ね合わせ１枚の合成画像とする画像合成機能が知られている。また、近年こうした画像合成機能を有するデジタルカメラを搭載する携帯機器等も多く製品化されている。
【０００３】
この画像合成機能に関しては様々な方法が知られており、例えば、撮影画像と合成用画像を合成させる際、画像と画像のつなぎ目を目立たなくするよう画像の一部を加工したり、画像の明度等の補正をしたりする各種画像処理を施すものが知られている。
【０００４】
また、画像処理だけでなく、測距結果等の撮影時の各情報を用いて容易に画像合成を行うものも知られており、特許文献１では、複数の測距ポイントのうち、被写体距離が最も近いエリアまたは合焦したエリアを主被写体の存在するエリアと見なし、これを合成用の画像として自動的に切り出すようにすることで容易に画像合成を行えるようにしたものが提案されている。
【０００５】
また、特許文献２においては、画像データと共に距離データも対応させて記憶し、所望の距離データのみの画像データを抽出して合成画像とさせることで、必要な画像の容易な編集を可能とさせるようにしたものが提案されている。
【０００６】
また、特許文献３においては、撮影時のフォーカス位置および露出値等の撮影条件の固定を行う事で、ピントや明るさ等の違いによる合成時の不自然さを解消するようにしたものが提案されている。
【特許文献１】特開２００１−３３３３２７号公報
【特許文献２】特開平９−３２６０２５号広公報
【特許文献３】特開平１１−１９６３１１号公報
【発明の開示】
【発明が解決しようとする課題】
【０００７】
しかしながら、従来の各様々な画像処理を施して精巧な合成画像を作成させるようなものについては、その画像合成処理に負担がかかることから、画像合成に時間がかかり、その分エネルギーも費やされている。
【０００８】
特に、安易なテンプレート画像との合成画像を撮影する際にあたっては、撮影者がそれ程精巧な合成画像を望まないことが大半であり、そのために、時間やエネルギーを費やしてしまうと、次レリーズへの速写性や次操作性等が損なわれたものになり、電源である電池駆動による動作時間も短くなってしまってしまうことから、ユーザーによっては好ましくないような場合があった。
【０００９】
また、合成画像撮影時における測距、測光等のカメラの撮影条件を決定する各動作について特許文献１及び特許文献２では、全測距点において測距動作をおこなわせているため、合成する参照画像と一部の測距エリアとで重複する領域が発生する場合では、その重複
する不要なエリアにおいても測距動作が行われるため、レリーズタイムラグ等で不利となっていた。
【００１０】
また、特許文献３については、カメラの各撮影条件を固定して撮影を行うため、被写体が移動してまった場合等、ピント等への撮影の不具合が発生する可能性がある。
【００１１】
本発明は上述の事情に鑑みてなされたものであり、合成画像の撮影時において、容易な構成で合成画像に応じた適正な撮影動作を可能とする画像処理装置を提供することにある。
【課題を解決するための手段】
【００１２】
上記課題を解決するために本発明では、以下の構成を採用している。
【００１３】
即ち、本発明に係わる画像処理装置は、被写体像を光電変換して撮像画像を出力する撮像手段と、該撮像手段からの撮影画像及び合成用画像を記憶する記憶手段と、少なくとも前記撮像手段からの撮像画像と合成用の画像を合成する画像合成手段と、複数の測距エリアをもつ測距手段と、該測距エリアの選択手段とを備え、撮影画像と合成用画像を合成させる合成画像の撮影時には、前記測距手段の測距エリアを限定することを特徴する。
【００１４】
また、前記測距エリアの限定は、画像合成される合成用画像と重複していない測距エリアとすることを特徴とする。
【００１５】
また、前記測距エリアの選択手段により選択可能とされる測距エリアは、画像合成を行う合成用画像によって変更することを特徴とする。
【００１６】
さらに、被写体像を光電変換して撮像画像を出力する撮像手段と、該撮像手段からの撮影画像及び合成用画像を記憶する記憶手段と、少なくとも前記撮像手段からの撮像画像と合成用の画像を合成する画像合成手段と、複数の測光エリアにおいて測光を行う測光手段と、該測光エリアの選択手段とを備える画像処理装置において、撮影画像と合成用画像を合成させる合成画像の撮影時には、前記測光手段の測光エリアを限定することを特徴す。
【００１７】
また、前記測光エリアの限定は、画像合成される合成用画像と重複していない測光エリアとすることを特徴とする。
【００１８】
また、前記測光エリアの選択手段により選択可能とされる測光エリアは、画像合成を行う合成用画像によって変更することを特徴とする。
【００１９】
また、被写体像を光電変換して撮像画像を出力する撮像手段と、該撮像手段からの撮影画像及び合成用画像を記憶する記憶手段と、少なくとも前記撮像手段からの撮像画像と合成用の画像を合成する画像合成手段と、ホワイトバランス補正手段とを備える画像処理装置において、撮影画像と合成用画像を合成させる合成画像の撮影時には、画像合成される合成用画像と重複していない画像領域よりホワイトバランス補正用の情報を所得することを特徴とする。
【発明の効果】
【００２０】
本発明によれば、画像合成を行う撮影時において、合成用の参照画像に合わせて、撮影時の測光、測距、ホワイトバランスの各情報を得るための抽出エリアを有効なエリアに限定して設定させるので、不要なエリア、領域での演算、制御を省き、レリーズタイムラグを短縮させ、無駄なエネルギーの浪費を防いだ合成画像の撮影が可能となる。
【００２１】
また任意のエリアとする設定についても、合成用の参照画像によって選定できるエリアを有効なエリアに制限するので不要なエリア、領域での演算、制御を省き、レリーズタイムラグを短縮させ、無駄なエネルギーの浪費を防いだ合成画像の撮影が可能となる。
【発明を実施するための最良の形態】
【００２２】
以下に本発明の実施例について説明する。
【実施例１】
【００２３】
以下に、本発明の第１の実施例を図１〜図１５に基づいて詳細に説明する。
【００２４】
図１において、１００は画像処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。１８は撮像素子１４、
Ａ／Ｄ変換器１６、 Ｄ／Ａ変換器２６にクロック信号や制御信号を供給するタイミング発生回路であり、メモリ制御回路２２及びシステム制御回路５０により制御される。
【００２５】
２０は画像処理回路であり、 Ａ／Ｄ変換器１６からのデータ或いはメモリ制御回路２
２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う公知のＴＴＬ（スルー・ザ・レンズ）方式のＡＦ（オートフォーカス）処理、ＡＥ（自動露出）処理、ＥＦ（フラッシュプリ発光）処理を行っている。
【００２６】
また、ＡＥ処理については、図７に示す９分割された測光エリアＥ１〜Ｅ９により各モードに対応した演算をし、ＡＥ処理を行えるようになっている。
【００２７】
また、ＡＦ処理については、図８に示す測距点Ｆ１、Ｆ２、Ｆ３の３点の測距点エリアについて各モードに対応した演算を行い、各ＡＦ処理を行えるようになっている。
【００２８】
また、画像処理回路２０においては、撮像した画像データを用いて所定の演算処理を行い、得られた演算結果に基づいてＴＴＬ方式のＡＷＢ（オートホワイトバランス）処理も行っており、さらに画像合成撮影時には、合成用画像に応じた領域の画素からＡＷＢ（オートホワイトバランス）処理を行っている。
【００２９】
なお、測距および測光エリアはこれに限られたものではなく、エリアの数、範囲等さらに複数もたせるような構成としてもよい。
【００３０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２、画像合成回路２９を制御する。
【００３１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３２】
２４は画像表示メモリ、２６はＤ／Ａ変換器、２８はＴＦＴ ＬＣＤ等から成る画像表
示部であり、画像表示メモリ２４に書き込まれた表示用の画像データはＤ／Ａ変換器２６を介して画像表示部２８により表示される。
【００３３】
画像表示部２８を用いて撮像した画像データを逐次表示すれば、電子ファインダー機能を実現することが可能である。
【００３４】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００３５】
２９は画像合成回路であり、画像システム制御回路５０を介し、メモリ５２により読み出した合成用の参照画像である図９、図１０に示したようなテンプレート画像情報と、メモリ制御回路２２を介して、画像処理回路２０にて各処理が行われた画像データとの画像合成処理を行う。また画像合成回路２９にて合成されたデータは、メモリ制御回路２２を介して画像表示メモリ２４或いはメモリ３０に書き込まれる。
【００３６】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００３７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３８】
４０は絞り機能を備えるシャッター１２を制御する露光制御手段であり、フラッシュ４８と連携することによりフラッシュ調光機能も有するものである。
【００３９】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００４０】
４８はフラッシュであり、ＡＦ補助光の投光機能、フラッシュ調光機能も有する。
【００４１】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００４２】
５０は画像処理装置１００全体を制御するシステム制御回路、５２はシステム制御回路５０の動作用の定数、変数、プログラム等を記憶するメモリであり、合成画像時の参照画像データであるテンプレート画像等も記憶されている。
【００４３】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００４４】
また、表示部５４は、その一部の機能が光学ファインダー１０４内に設置されている。表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、
エラー表示、複数桁の数字による情報表示、記録媒体２００及び２１０の着脱状態表示、通信Ｉ／Ｆ動作表示、日付け・時刻表示、等がある。
【００４５】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４６】
５６は電気的に消去・記録可能な不揮発性メモリであり、例えばＥＥＰＲＯＭ等が用いられる。
【００４７】
６０、６２、６４、６６、６８、７０及び７３は、システム制御回路５０の各種の動作指示を入力するための操作手段であり、スイッチやダイアル、タッチパネル、視線検知によるポインティング、音声認識装置等の単数或いは複数の組み合わせで構成される。
【００４８】
６０はモードダイアルスイッチで、電源オフ、自動撮影モード、撮影モード、パノラマ撮影モード、再生モード、マルチ画面再生・消去モード、ＰＣ接続モード等の各機能モードを切換設定することが出来き、合成画像撮影モードへの切換設定もここで行う。
【００４９】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５０】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５１】
６６は選択／切換スイッチであり、合成画像撮影モード等の撮影及び再生を実行する際に、各機能の選択及び切換を設定することができる。
【００５２】
６８は決定／実行スイッチであり、合成画像撮影モード等の撮影及び再生を実行する際に、各機能の決定及び実行を設定することができる。
【００５３】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示部２８のＯＮ／ＯＦＦを設定する画像表示ＯＮ／ＯＦＦボタン、撮影直後に撮影した画像データを画像表示部で自動再生するクイックレビューＯＮ／ＯＦＦボタン等がある。
【００５４】
７３は合成用画像の選択許可スイッチであり、合成撮影モード時において、合成用の参照画像の選択を許可させるためのスイッチである。
【００５５】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５６】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５７】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５８】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５９】
インターフェース及びコネクタとしては、ＰＣＭＣＩＡカードやＣＦ（コンパクトフラッシュ(登録商標)）カード等の規格に準拠したものを用いて構成して構わない。
【００６０】
さらに、インターフェース９０及び９４、そしてコネクタ９２及び９６をＰＣＭＣＩＡカードやＣＦ（コンパクトフラッシュ(登録商標)）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６１】
１０２は、画像処理装置１００のレンズ１０を含む撮像部を覆う事により、撮像部の汚れや破損を防止するバリアである保護手段である。
【００６２】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６３】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６４】
１１２は通信手段１１０により画像処理装置１００を他の機器と接続するコネクタ或いは無線通信の場合はアンテナである。
【００６５】
２００はメモリカードやハードディスク等の記録媒体である。記録媒体２００は、半導体メモリや磁気ディスク等から構成される記録部２０２、画像処理装置１００とのインターフェース２０４、画像処理装置１００と接続を行うコネクタ２０６を備えている。
【００６６】
２１０はメモリカードやハードディスク等の記録媒体である。記録媒体２１０は、半導体メモリや磁気ディスク等から構成される記録部２１２、画像処理装置１００とのインターフェース２１４、画像処理装置１００と接続を行うコネクタ２１６を備えている。
【００６７】
次に、第１の実施例の動作を図２〜図１５を参照して説明する。
【００６８】
図２及び図３は本実施例の画像処理装置１００の主ルーチンのフローチャートを示す図である。 図２及び図３を用いて、画像処理装置１００の動作を説明する。
【００６９】
電池交換等の電源投入により、システム制御回路５０はフラグや制御変数等を初期化し（Ｓ１０１）、画像表示部２８の画像表示をＯＦＦ状態に初期設定する（Ｓ１０２）。
【００７０】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０４）、Ｓ１０３に戻る。
【００７１】
モードダイアル６０がその他のモードに設定されていたならば（Ｓ１０３）、システム制御回路５０は、電源制御手段８０により電池等により構成される電源８６の残容量や動作情況が画像処理装置１００の動作に問題があるか否かを判断し（Ｓ１０５）、問題があるならば表示部５４を用いて画像や音声により所定の警告表示を行った後に（Ｓ１０７）、Ｓ１０３に戻る。
【００７２】
電源８６に問題が無いならば（Ｓ１０５）、システム制御回路５０は記録媒体２００或いは２１０の動作状態が画像処理装置１００の動作、特に記録媒体に対する画像データの記録再生動作に問題があるか否かを判断し（Ｓ１０６）、問題があるならば表示部５４を用いて画像や音声により所定の警告表示を行った後に（Ｓ１０７）、Ｓ１０３に戻る。
【００７３】
記録媒体２００或いは２１０の動作状態に問題が無いならば（Ｓ１０６）、表示部５４を用いて画像や音声により画像処理装置１００の各種設定状態の表示を行う（Ｓ１０８）。なお、画像表示部２８の画像表示がＯＮであったならば、画像表示部２８も用いて画像や音声により画像処理装置１００の各種設定状態の表示を行う。
【００７４】
モードダイアル６０が撮影モードに設定に設定されていたならば（Ｓ１０９）、所定の撮影処理を実行し（Ｓ１１０）、処理を終えたならばＳ１０３へ戻る。
【００７５】
モードダイアル６０がその他のモードに設定されていたならば（Ｓ１０９）、システム制御回路５０は選択されたモードに応じた処理を実行し（Ｓ１１１）、処理を終えたならばＳ１０３へ戻る。
【００７６】
モードダイアル６０が合成撮影モードに設定されていたならば（Ｓ１０９）、合成用画像の選択許可スイッチ７３の判断を行い（Ｓ１１２）、押されていなかったら画像選択フラグを０クリアし（Ｓ１１３）、Ｓ１１９へ進む。合成用画像の選択許可スイッチ７３が押されたなら（Ｓ１１２）、画像選択フラグの状態の判断を行い（Ｓ１１４）、画像選択フラグが既にセットされていたならばＳ１１９へ進む。
【００７７】
画像選択フラグがセットさせずに０クリアであったならば（Ｓ１１４）、Ｓ１１５へ進む。なお、ここでのフラグ状態の判断により、合成用の参照画像の選択がなされているか否かの判断を行うことになる。
【００７８】
システム制御回路５０は画像表示部２８に合成画像モードの参照画像の選択画面を表示する。（Ｓ１１５）。合成画像モードの選択画面の一例を図１５に示す。図１５において、画面内には合成させる参照画像が４種類表示されており、画面左下には図９、左上には図１０に示したテンプレート画像が他画像と共に、一画面に表示されている。
【００７９】
なお、参照画像の選択画面および参照画像はこれらに限られたものではなく、選択画面においては個別に一画像ごと順番に表示させてもよいし、さらに４種類に限らず複数の参照画像を一度に画面上に表示させるようにしてもよい。また参照画像についても、複数の参照画像を組み合わせたものや、外部より取り込んだ画像データ、記憶された撮影画像を加工したデータでもよい。
【００８０】
ここで画像処理装置１００の使用者は、選択／切換スイッチ６６により画像合成用の参照画像を選択し、決定／実行スイッチ６８により、参照画像を決定することができる。
【００８１】
選択／切換スイッチ６６および決定／実行スイッチ６８により、合成用の参照画像が選択され決定されたのならば（Ｓ１１６）、Ｓ１１７へ進む。
画像選択フラグをセットし（Ｓ１１７）、画像情報を抽出する設定が行われた際にフラグセットがされる抽出フラグを０クリアする。（Ｓ１１８）。
【００８２】
次に抽出フラグの状態の判断を行う（Ｓ１１９）。フラグがセットされていたならば、既に撮影画像から情報を得るための抽出エリアの設定がなされていることになるので、そのまま何もせずＳ１２２へ進む。フラグが０クリアのままであったのならば、システム制御回路５０は合成用の参照画像に応じて撮影画像から必要な情報を抽出させるための設定を行う（Ｓ１２０）。
【００８３】
ここで具体的に、ＡＥ、ＡＦ制御およびホワイトバランス制御を行なわせるための必要な情報について、撮像画像から抽出させる設定を、図７、図８に示す測光・測距エリア、および参照画像である図９について、それぞれに対応させた図１３、図１４と、図９に示す合成用の参照画像と図１１に示す撮影画像を合成させた図１２の場合を一例にとって説明を行う。
【００８４】
図１３は、図９に示す参照画像と図８に示す測距エリアについて重ね合わせたものである。測距点Ｆ１、Ｆ２、Ｆ３の各３点の測距点エリアのうち、Ｆ２、Ｆ３と参照画像が重複していることがわかる。この場合、Ｆ２およびＦ３の測距エリアについては参照画像が重ね合わされる不要なエリアとなることから、測距（ＡＦ）の演算用として抽出する測距エリアをＦ１のみとする設定をシステム制御回路５０により自動的に行う。
【００８５】
また、図７は本実施例における測光エリアについて示したものであるが、図中Ｅ１〜Ｅ９の測光エリアのうち、Ｅ５、Ｅ６が参照画像である図９と重複することが図１４よりわかる。この場合システム制御回路５０は、測光（ＡＥ）の演算用として、Ｅ５，Ｅ６を除く有効な測光エリアとなるＥ１〜Ｅ４およびＥ７〜Ｅ９を測光用の抽出エリアとして設定を行う。さらに、ホワイトバランス（ＡＷＢ）の補正においては、図９の参照画像と重複する画素以外の有効画素を情報所得用の必要画素とし、ホワイトバランス補正用として抽出する設定を行う。
【００８６】
このように、画像合成時に合成させる参照用画像によって、撮影時の各設定を行うための測光・測距・ホワイトバランスの情報を抽出する画像エリアを、必要なエリアのみに限定することによって、各演算に要する時間の短縮が可能となり、画像合成時のレリーズタイムの改善またエネルギー消費も押さえたものとすることが可能となる。
【００８７】
画像情報を抽出するための設定が終了したら、画像情報の抽出設定が行われたことを示す抽出フラグをセットする。（Ｓ１２１）。
【００８８】
続いてシステム制御回路５０は画像表示部２８に選択決定された合成用の参照画像の表
示を行った（Ｓ１２２）後、合成用の参照画像と撮像した画像データの合成画像を逐次表示するスルー表示状態に設定して（Ｓ１２３）、Ｓ１２４に進む。
【００８９】
なお、スルー表示状態の合成画像の一例として、図１２に示す。スルー表示状態においては、撮像素子１２、Ａ／Ｄ変換器１６、画像処理回路２０、メモリ制御回路２２を介した画像データと、合成用の参照画像とを画像合成回路２９にて逐次合成し、メモリ制御回路２２を介して画像表示メモリ２４に逐次書き込まれる。
【００９０】
そして、画像表示メモリ２４に逐次書き込まれたデータを、メモリ制御回路２２、Ｄ／Ａ変換器２６を介して画像表示部２８により逐次表示することにより、電子ファインダー機能を実現している。  
【００９１】
続いてシャッタースイッチＳＷ１の判断を行い、押されていないならば（Ｓ１２４）、Ｓ１０３に戻る。
【００９２】
シャッタースイッチＳＷ１が押されたならば（Ｓ１２４）、システム制御回路５０は、画像表示部２８の表示状態をフリーズ表示状態に設定して（Ｓ１２５）、Ｓ１２６に進む。
【００９３】
フリーズ表示状態においては、画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【００９４】
システム制御回路５０は、測距処理を行って撮影レンズ１０の焦点を被写体に合わせ、測光処理を行って絞り値及びシャッター時間を決定する（Ｓ１２６）。測光処理において、必要であればフラッシュの設定も行う。またホワイトバランスの補正制御も行う。なお、この測距・測光処理Ｓ１２６の詳細は図４を用いて後述するが、Ｓ１２０にて決定された画像抽出の設定に基づいて行われる。
【００９５】
測距・測光処理Ｓ１２６を終えたならば、システム制御回路５０は、画像表示部２８の表示状態をスルー表示状態に設定して（Ｓ１２７）、Ｓ１２８に進む。なお、Ｓ１２７でのスルー表示状態は、Ｓ１２３でのスルー状態と同じ動作状態である。
【００９６】
シャッタースイッチＳＷ２が押されずに（Ｓ１２８）、さらにシャッタースイッチＳＷ１も解除されたならば（Ｓ１２９）、Ｓ１０３に戻る。
【００９７】
シャッタースイッチＳＷ２が押されたならば（Ｓ１２８）、システム制御回路５０は画像表示部２８の表示状態を固定色表示状態に設定して（Ｓ１３０）、Ｓ１３１に進む。
【００９８】
固定色表示状態においては、画像表示メモリ２４に書き込まれた合成画像データの代わりに、差し替えた固定色の画像データを、メモリ制御回路２２、Ｄ／Ａ変換器２６を介して画像表示部２８により表示することにより、固定色の映像を電子ファインダーに表示している。
【００９９】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１３１）。 この撮影処理Ｓ
１３１の詳細は図５を用いて後述する。
【０１００】
システム制御回路５０は、画像表示部２８の画像表示状態をクイックレビュー表示状態に設定し（Ｓ１３２）、Ｓ１３３に進む。
【０１０１】
クイックレビュー状態においては、画像表示メモリ２４に転送された画像データを、メモリ制御回路２２、Ｄ／Ａ変換器２６を介して画像表示部２８の前述した撮影領域に表示することにより、撮像画像の自動再生を行う電子ファインダー機能を実現している。
【０１０２】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３３）。 
この記録処理Ｓ１２６の詳細は図６を用いて後述する。
【０１０３】
システム制御回路５０は、シャッタースイッチＳＷ２が放されるまで（Ｓ１３４）、画像表示部２８におけるクイックレビュー表示を継続し、シャッタースイッチＳＷ２が放されたなら（Ｓ１３４）、Ｓ１３５へ進む。
【０１０４】
システム制御回路５０は、画像表示部２８の表示状態をスルー表示状態に設定して（Ｓ１３５）、Ｓ１３６に進む。
【０１０５】
この場合、画像表示部２８でのクイックレビュー表示によって撮影画像を確認した後に、次の撮影のために撮像した画像データを逐次表示するスルー表示状態にすることが出来る。
【０１０６】
シャッタースイッチＳＷ１が押された状態であったならば（Ｓ１３６）、システム制御回路５０は、Ｓ１２１に戻って次の撮影に備える。
【０１０７】
シャッタースイッチＳＷ１が放された状態であったならば（Ｓ１３６）、システム制御回路５０は、一連の撮影動作を終えてＳ１０３に戻る。
【０１０８】
図４は、図３のＳ１１８における測距・測光処理の詳細なフローチャートを示す。
【０１０９】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。なお、ここでの各処理は、撮影した全画素数のうち必要に応じた特定の部分を必要個所分切り取って抽出し演算に用いており、合成画像撮影モード時においては、Ｓ１１４にて各演算用の画像情報として取り込むように設定されたエリア・領域から抽出されて演算が行われる。また、これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１１０】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【０１１１】
ここでのＡＥに関する測光の演算は、Ｓ１２０によって決定された測光エリアからの情
報によって行われる。例えば、図９の参照画像の場合、測光エリアＥ１〜Ｅ４およびＥ７〜Ｅ９からの情報によって行われる。
【０１１２】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【０１１３】
露出（ＡＥ）が適正と判断したならば（Ｓ２０２）、測定データ及び或いは設定パラメータをシステム制御回路５０の内部メモリ或いはメモリ５２に記憶する。
【０１１４】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【０１１５】
ここでのホワイトバランス（ＡＷＢ）の演算に用いられる画素データは、Ｓ１１４によって決定された画素データが用いられる。
【０１１６】
ホワイトバランス（ＡＷＢ）が適正と判断したならば（Ｓ２０６）、測定データ及び或いは設定パラメータをシステム制御回路５０の内部メモリ或いはメモリ５２に記憶する。
【０１１７】
画像処理回路２０での演算結果を用いて、システム制御回路５０は測距（ＡＦ）が合焦と判断されるまで（Ｓ２０８）、測距制御手段４２を用いてＡＦ制御を行う（Ｓ２０９）。
【０１１８】
ここで測距（ＡＦ）用として演算に用いられる測距エリアは、Ｓ１２０にて決定された測距エリアが用いられる。例えば図９の参照画像の場合、測距エリアＦ１からの情報によって演算が行われる。
【０１１９】
測距（ＡＦ）が合焦と判断したならば（Ｓ２０８）、測定データ及び或いは設定パラメータをシステム制御回路５０の内部メモリ或いはメモリ５２に記憶し、測距・測光処理ルーチンＳ１２６を終了する。
【０１２０】
図５は、図３のＳ１３１における撮影処理の詳細なフローチャートを示す。
【０１２１】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。
【０１２２】
フラッシュフラグによりフラッシュ４８が必要か否かを判断し（Ｓ３０３）、必要な場合はフラッシュを発光させる（Ｓ３０４）。
【０１２３】
システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介した撮像画像のデータと、選択された合成用参照画像とを画像合成回路２９にて画像合成がおこなわれた画像データをメモリ３０に書き込む。（Ｓ３０７）。
【０１２４】
なお、本実施例では合成画像処理させた１画像データとして記憶させるようにしているが、撮影画像データとは別の合成付加データとして、撮影画像に対応させた合成情報を記憶させるようにしてもよい。
【０１２５】
設定されたモードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【０１２６】
システム制御回路５０は、メモリ３０から画像データを読み出し、メモリ制御回路２２を介して画像表示メモリ２４に表示画像データの転送を行う（Ｓ３１１）。
【０１２７】
一連の処理を終えたならば、撮影処理ルーチンＳ１３１を終了する。
【０１２８】
図６は、図３のＳ１３３における記録処理の詳細なフローチャートを示す。
【０１２９】
システム制御回路５０は、メモリ制御回路２２、そして必要に応じて画像処理回路２０を用いて、メモリ３０に書き込まれた合成画像データを読み出して撮像素子の縦横画素比率を１：１に補間する画素正方化処理を行った後（Ｓ４０１）、メモリ３０に処理を終えた画像データを書き込む。
【０１３０】
そして、メモリ３０に書き込まれた画像データを読み出して、設定したモードに応じた画像圧縮処理を圧縮・伸長回路３２により行った後（Ｓ４０２）、インターフェース９０或いは９４、コネクタ９２或いは９６を介して、メモリカードやコンパクトフラッシュ(登録商標)カード等の記録媒体２００或いは２１０へ圧縮した画像データの書き込みを行う（Ｓ４０３）。
【０１３１】
記録媒体への書き込みが終わったならば、記録処理ルーチンＳ１３３を終了する。
【０１３２】
以上説明したしように、この実施例１によれば、画像合成を行う撮影時において、合成用の参照画像に対応して、撮影時の測光、測光エリアおよびホワイトバランスの情報所得用の画像領域について、自動的に有効となるエリア、領域に限定させて設定を行うので、不要なエリア、領域での演算、制御を省き、レリーズタイムラグを短縮させ、無駄なエネルギーの浪費を防いだ合成画像の撮影が可能となる。
【実施例２】
【０１３３】
以下に、本発明の第２の実施例を図１６〜図１９に基づいて詳細に説明する。
【０１３４】
図１６は、本発明の実施例２における構成を示す図である。なお、図１と異なる部位について説明を行い、その他同構成部については説明を割愛する。
図１６中、７１は、測距エリアについて任意の測距エリアに設定可能とさせるためのＡＦエリア選択スイッチ、７２は、測光エリアについて任意の測光エリアに設定可能とさせるためＡＥエリア選択スイッチである。
【０１３５】
なお、操作部７０においては、測距エリア選択時に選択エリアを選出させるための測距エリアセレクトボタン、測光エリア選択時に選択エリアを選出させるための測光エリアセレクトボタン等が含まれたものとなる。
【０１３６】
図１７は第２の実施例の画像処理装置１００の主ルーチンのフローチャートを示す図であり、上述の実施例１における図２に続くフォローチャート図となっている。 この図２
及び図１７を用いて、実施例２における画像処理装置１００の動作を説明する。なお、図２については前記第一の実施例と同一であるので説明は省略する。また図１７においては、図３と共通する要素に同一の符号を付し、その同一の符号における動作の説明は省略す
る。
【０１３７】
先ず、上記第１の実施例の図２で示した、ステップＳ１０１からステップＳ１１８までにおける処理を、第２の実施形態においても同様に行う。
【０１３８】
次に測光情報について任意のエリア若しくは自動的に抽出するための設定を行う。（Ｓ７１９）。詳細な説明については図１８にて後述する。次にホワイトバランスの補正用情報を抽出するための設定を、参照画像と重複する画素以外の有効画素から抽出する設定を行う。（Ｓ７２０）、なお、決定されたホワイトバランス情報の抽出の設定についてはシステム制御回路５０の内部メモリ或いはメモリ５２に記憶される。
【０１３９】
続いて測距情報について任意のエリア若しくは自動的に抽出するための設定を行う。（Ｓ７２１）。詳細な説明については図１９にて後述説明する。
【０１４０】
その後ステップＳ１２２以降における図３と同様の処理が図１７においても行われる。
【０１４１】
図１８は図１７中の測光情報抽出設定（Ｓ７１９）の詳細なフローチャートの図であり、以下に説明を行う。
【０１４２】
ＡＥ抽出フラグの状態を判断し、（Ｓ９０１）、ＡＥ抽出フラグがセットされていたならばＳ９０９へ進む。ＡＦ抽出フラグが０クリアされていたならば、選択された合成用の参照画像と重複されない測光エリアの選出を開始するためＳ９０２へ進む。
【０１４３】
選択された合成用の参照画像が各測光エリアＥ１〜Ｅ９と重複しているか否かの判断を、Ｓ９０２からＳ９０６にて行う。なお、重複しているか否かの判断は双方の座標データ等により判断を行っている。
【０１４４】
まず、変数ｎ＝１に設定を行う（Ｓ９０２）。合成用の参照画像と比較する測光エリアと変数ｎの関係については、ｎ＝１であれば参照画像と比較する測光エリアはＥ１、ｎ＝２であれば測光エリアＥ２、ｎ＝３であれば測光エリアＥ３・・・と変数ｎの数値に対応させて比較する測光エリアが変わるようになっている。  
【０１４５】
続いて、合成用の参照画像と測光エリアＥ１の比較を行い（Ｓ９０３）、重複していなければ任意の選択可能エリアとして測光エリアＥ１を設定し（Ｓ９０４）、そうでなければＳ９０５へ進む。
【０１４６】
次に変数ｎに１を加算し（Ｓ９０５）、加算後の変数ｎが１０となっているか判断をおこない（Ｓ９０６）、すべての測光エリアとの比較が終了していか否かの判断を行う。変数ｎ＝１０であるならば全ての測光エリアの判定が終了しているのでＳ９０７へ進む。そうでなければＳ９０３へ戻り上記ルーチンを繰り返す。なお、変数ｎの上限は測光エリアの数によって変わることは言うまでもない。
【０１４７】
次に測光エリアと参照画像の重複判断を終えたらＡＥ抽出フラグのセットを行う（Ｓ９０７）。
【０１４８】
上記Ｓ９０６までのルーチンによって選択可能エリアとして設定されたエリアが有るか否かの判断を行い（Ｓ９０８）、無ければ、表示部５４を用いて画像や音声により所定の警告表示を行った後に（Ｓ９０９）、全測光エリアを選択可能エリアとした設定を行い（Ｓ９１０）、Ｓ９１１へ進む。
【０１４９】
上記Ｓ９０６までのルーチンによって選択可能エリアが設定されているならば（Ｓ９０８）、そのままＳ９１１へ進む。
【０１５０】
任意の測光エリアに設定可能とさせるためのＡＥエリア選択スイッチ７２が押されていないならば（Ｓ９１１）、現在選択可能として設定されているエリアをそのままとして、測光情報抽出の設定ルーチンＳ７１９を終了する。
【０１５１】
任意の測光エリアに設定可能とさせるためのＡＥエリア選択スイッチ７２が押されているならば（Ｓ９１１）、選択可能な測光エリアの表示を表示部５４、画像表示部２８等にて行った後（Ｓ９１２）、使用者の操作によって、操作部７０の任意の測光エリアを選択するために測光エリアセレクトボタンを用い、選択可能エリアに設定されたエリア内から選択するエリアを選び出し、操作部７０のセットボタンにて設定をする。（Ｓ９１３）。設定された測光エリアは表示部５４、画像表示部２８等にて表示が行われる。（Ｓ９１４）。
【０１５２】
測光エリア選択が決定／実行スイッチ６８が押されずに終了されていないのならば（Ｓ９１５）、Ｓ９１３へ戻り、測光エリアの選択を継続する。
【０１５３】
決定／実行スイッチ６８が押され、測光エリアについて任意の選択設定が終了したならば（Ｓ９１５）、測光情報抽出設定ルーチンＳ７１９を終了する。
【０１５４】
図１９は図１７中の測距情報抽出設定（Ｓ７２１）の詳細なフローチャートの図であり、以下に説明を行う。
【０１５５】
ＡＦ抽出フラグの状態を判断し、（Ｓ８０１）、ＡＦ抽出フラグがセットされていたならばＳ８１２へ進む。ＡＦ抽出フラグが０クリアされていたならば、選択された合成用の参照画像と重複されない測距エリアの選出を開始するためＳ８０２へ進む。
【０１５６】
選択された合成用の参照画像が測距エリアＦ１と重複しているか否かの判断を双方の座標データ等により判断を行い（Ｓ８０２）、重複していなければ任意の選択可能エリアとして測距エリアＦ１を設定し（Ｓ８０３）、そうでなければＳ８０４へ進む。
【０１５７】
選択された合成用の参照画像が測距エリアＦ２と重複しているか否かの判断を双方の座標データ等により判断を行い（Ｓ８０４）、重複していなければ任意の選択可能エリアとして測距エリアＦ２を設定し（Ｓ８０５）、そうでなければＳ８０６へ進む。
【０１５８】
選択された合成用の参照画像が測距エリアＦ３と重複しているか否かの判断を双方の座標データ等により判断を行い（Ｓ８０６）、重複していなければ任意の選択可能エリアとして測距エリアＦ３を設定し（Ｓ８０７）、そうでなければＳ８０８へ進む。
【０１５９】
上記Ｓ８０７までのルーチンによって選択可能エリアとして設定されたエリアが有るか否かの判断を行い（Ｓ８０９）、無ければ、表示部５４を用いて画像や音声により所定の警告表示を行った後に（Ｓ８１０）、全測距エリアを選択可能エリアとした設定を行い（Ｓ８１１）、Ｓ８１２へ進む。
【０１６０】
上記Ｓ８０６までのルーチンによって選択可能エリアが設定されているならば、そのままＳ８１２へ進む。
【０１６１】
任意の測距エリアに設定可能とさせるためのＡＦエリア選択スイッチ７１が押されていないならば（Ｓ８１２）、現在選択可能として設定されているエリアをそのままとして、
測距情報抽出の設定ルーチンＳ７２１を終了する。
【０１６２】
任意の測距エリアに設定可能とさせるためのＡＦエリア選択スイッチ７１が押されているならば（Ｓ８１２）、選択可能な測距エリアの表示を表示部５４、画像表示部２８等にて行った後（Ｓ８１４）、撮影者の操作によって、操作部７０の任意の測距エリアを選択するために測距エリアセレクトボタンを用い、選択可能エリアに設定されたエリア内から選択するエリアを選び出し、操作部７０のセットボタンにて設定をする。（Ｓ８１５）。設定された測距エリアは表示部５４、画像表示部２８等にて表示が行われる。（Ｓ８１６）。
【０１６３】
測距エリア選択が決定／実行スイッチ６８が押されずに終了されていないのならば（Ｓ８１７）、Ｓ８１５へ戻り、測距エリアの選択を継続する。
【０１６４】
決定／実行スイッチ６８が押され、測距エリアについて任意の選択設定が終了したならば（Ｓ８１７）、測距情報抽出設定ルーチンＳ７２１を終了する。
【０１６５】
以上説明したしように、この実施例２によれば、画像合成を行う撮影時において、合成用の参照画像に対応させて任意に選定できる測光、測距エリアを変え、選定エリアの限定を行わせることで、エリア選定時に不必要なエリアを選び出させることなく、不要なエリア、領域での演算、制御を省き、レリーズタイムラグを短縮させ、無駄なエネルギーの浪費を防いだ合成画像の撮影が可能となる。
【図面の簡単な説明】
【０１６６】
【図１】本発明に係る第１の実施例における画像処理装置の主要構成を示したブロック図である。
【図２】本発明に係る第１の実施例における画像処理装置の動作を示す主ルーチンのフローチャートである。
【図３】図２の画像処理装置の動作を示す主ルーチンに続くフローチャートである。
【図４】本発明に係る第１の実施例における測距・測光ルーチンのフローチャートである。
【図５】本発明に係る第１の実施例における撮影処理ルーチンのフローチャートである。
【図６】本発明に係る第１の実施例における記録処理ルーチンのフローチャートである。
【図７】本発明に係る第１の実施例における測光エリアの一例である。
【図８】本発明に係る第１の実施例における測距エリアの一例である。
【図９】本発明に係る第１の実施例における合成用参照画像の一例である。
【図１０】本発明に係る第１の実施例における合成用参照画像の一例である。
【図１１】本発明に係る第１の実施例における撮影画像の一例である。
【図１２】本発明に係る第１の実施例における撮影画像と合成用参照画像が合成された合成画像の一例である。
【図１３】本発明に係る第１の実施例における合成用参照画像と測距エリアを対応させて示した図の一例である。
【図１４】本発明に係る第１の実施例における合成用参照画像と測光エリアを対応させて示した図の一例である。
【図１５】本発明に係る第１の実施例における合成画像モードの選択画面の一例である。
【図１６】本発明に係る第２の実施例における画像処理装置の主要構成を示したブロック図である。
【図１７】本発明に係る第２の実施例における画像処理装置の動作を示す主ルーチンのフローチャートであり、図２の画像処理装置の動作を示す主ルーチンに続くフローチャートである。
【図１８】本発明に係る第２の実施例における測光情報抽出設定の詳細なフローチャートである。
【図１９】本発明に係る第２の実施例における測距情報抽出設定の詳細なフローチャートである。
【符号の説明】
【０１６７】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
２９  画像合成回路
３０  メモリ
３２  画像圧縮・伸長回路
４０  露光制御回路
４２  測距制御回路
４４  ズーム制御回路
４６  バリア制御回路
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  選択/切替スイッチ
６８  決定/実行スイッチ
７０  操作部
７１  ＡＦエリア選択スイッチ
７２  ＡＥエリア選択スイッチ
７３  選択許可スイッチ
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  画像処理装置
１０２  バリア
１０４  光学ファインダー
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ
３１２  シャッター
３２０  インターフェース
３２２  コネクタ
３４０  露光制御手段
３４２  測距制御手段
３４４  ズーム制御手段
３５０  レンズシステム制御回路
【図１】
2005175951.tif 000003
【図２】
2005175951.tif 000004
【図３】
2005175951.tif 000005
【図４】
2005175951.tif 000006
【図５】
2005175951.tif 000007
【図６】
2005175951.tif 000008
【図７】
2005175951.tif 000009
【図８】
2005175951.tif 000010
【図９】
2005175951.tif 000011
【図１０】
2005175951.tif 000012
【図１１】
2005175951.tif 000013
【図１２】
2005175951.tif 000014
【図１３】
2005175951.tif 000015
【図１４】
2005175951.tif 000016
【図１５】
2005175951.tif 000017
【図１６】
2005175951.tif 000018
【図１７】
2005175951.tif 000019
【図１８】
2005175951.tif 000020
【図１９】
2005175951.tif 000021